【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
第１の玩具体と、前記第１の玩具体に接続される第２の玩具体とからなる動作玩具であって、
前記第１の玩具体は、前記第２の玩具体が接続される接続部を有し、
前記第２の玩具体は、複数種類用意されており、各々の第２の玩具体は、種類を識別するための識別情報を保持した識別情報保持部を有しており、
前記第１の玩具体は、
前記第２の玩具体の識別情報保持部が保持している識別情報が入力される識別情報入力部と、
前記識別情報入力部で入力された識別情報を記憶可能な識別情報記憶部と、
前記識別情報入力部とは異なる位置に設けられ、前記第２の玩具体が前記接続部に接続されたことを検出可能な接続検出部と、
動作部と、
前記動作部を動作させるための動作情報を、識別情報毎に対応させて記憶している動作情報記憶部と、
動作制御部と、
を有し、
前記動作制御部は、
前記識別情報入力部で入力された識別情報を前記識別情報記憶部に記憶させ、
前記接続検出部にて前記第２の玩具体が前記接続部に接続されたことを検出したとき、前記識別情報記憶部に記憶されている識別情報を読み出し、
当該読み出した識別情報に対応させて記憶された動作情報を前記動作情報記憶部から読み出し、
当該読み出した動作情報に基づいて、前記動作部を動作させる、
ことを特徴とする動作玩具。
【請求項２】
前記第１の玩具体は、操作部を有し、
前記識別情報記憶部は、前記識別情報入力部から入力された識別情報を少なくとも２以上記憶するものであり、
前記動作情報記憶部は、前記２以上の識別情報の組み合わせのうち、特定の組み合せに対応する組み合せ動作情報を記憶しており、
前記動作制御部は、
前記操作部が操作されたとき、前記識別情報記憶部に記憶されている２以上の識別情報が前記特定の組み合せであるか否かを判断し、
前記２以上の識別情報が前記特定の組み合せであるとき、前記動作情報記憶部から前記特定の組み合せに対応する組み合せ動作情報を読み出し、
当該読み出した組み合せ動作情報に応じて、前記動作部を動作させる、
ことを特徴とする請求項１に記載の動作玩具。
【請求項３】
前記第１の玩具体は、人型の胴体部を構成し、
前記第２の玩具体は、人型の肢部を構成し、
前記第２の玩具体が、前記第１の玩具体に接続することにより人型となる、
ことを特徴とする請求項１または２に記載の動作玩具。
【請求項４】
第１の玩具体と、前記第１の玩具体に接続され、複数種類用意された第２の玩具体と、各々の第２の玩具体の種類を識別するための識別情報を保持した複数の識別情報保持部材とからなる動作玩具であって、
前記第１の玩具体は、前記第２の玩具体が接続される接続部を有し、
前記第１の玩具体は、
前記識別情報保持部材が保持している識別情報が入力される識別情報入力部と、
前記識別情報入力部で入力された識別情報を記憶可能な識別情報記憶部と、
前記識別情報入力部とは異なる位置に設けられ、前記第２の玩具体が前記接続部に接続されたことを検出可能な接続検出部と、
動作部と、
前記動作部を動作させるための動作情報を、識別情報毎に対応させて記憶している動作情報記憶部と、
動作制御部と、
を有し、
前記動作制御部は、
前記識別情報入力部で入力された識別情報を前記識別情報記憶部に記憶させ、
前記接続検出部にて前記第２の玩具体が前記接続部に接続されたことを検出したとき、前記識別情報記憶部に記憶されている識別情報を読み出し、
当該読み出した識別情報に対応させて記憶された動作情報を前記動作情報記憶部から読み出し、
当該読み出した動作情報に基づいて、前記動作部を動作させる、
ことを特徴とする動作玩具。
【請求項５】
前記第１の玩具体は、操作部を有し、
前記識別情報記憶部は、前記識別情報入力部から入力された識別情報を少なくとも２以上記憶するものであり、
前記動作情報記憶部は、前記２以上の識別情報の組み合わせのうち、特定の組み合せに対応する組み合せ動作情報を記憶しており、
前記動作制御部は、
前記操作部が操作されたとき、前記識別情報記憶部に記憶されている２以上の識別情報が前記特定の組み合せであるか否かを判断し、
前記２以上の識別情報が前記特定の組み合せであるとき、前記動作情報記憶部から前記特定の組み合せに対応する組み合せ動作情報を読み出し、
当該読み出した組み合せ動作情報に応じて、前記動作部を動作させる、
ことを特徴とする請求項４に記載の動作玩具。
【請求項６】
前記第１の玩具体は、人型の胴体部を構成し、
前記第２の玩具体は、人型の肢部を構成し、
前記第２の玩具体が、前記第１の玩具体に接続することにより人型となる、
ことを特徴とする請求項４または５に記載の動作玩具。
【手続補正２】
【補正対象書類名】明細書
【補正対象項目名】０００８
【補正方法】変更
【補正の内容】
【０００８】
本発明は、第１の玩具体と、前記第１の玩具体に接続される第２の玩具体とからなる動作玩具であって、前記第１の玩具体は、前記第２の玩具体が接続される接続部を有し、前記第２の玩具体は、複数種類用意されており、各々の第２の玩具体は、種類を識別するための識別情報を保持した識別情報保持部を有しており、前記第１の玩具体は、前記第２の玩具体の識別情報保持部が保持している識別情報が入力される識別情報入力部と、前記識別情報入力部で入力された識別情報を記憶可能な識別情報記憶部と、前記識別情報入力部とは異なる位置に設けられ、前記第２の玩具体が前記接続部に接続されたことを検出可能な接続検出部と、動作部と、前記動作部を動作させるための動作情報を、識別情報毎に対応させて記憶している動作情報記憶部と、動作制御部と、を有し、前記動作制御部は、前記識別情報入力部で入力された識別情報を前記識別情報記憶部に記憶させ、前記接続検出部にて前記第２の玩具体が前記接続部に接続されたことを検出したとき、前記識別情報記憶部に記憶されている識別情報のうち、所定の規則に基づいて１つの識別情報を読み出し、当該読み出した識別情報に対応させて記憶された動作情報を前記動作情報記憶部から読み出し、当該読み出した動作情報に基づいて、前記動作部を動作させる、ことを特徴とする。また、本発明は、第１の玩具体と、前記第１の玩具体に接続される第２の玩具体とからなる動作玩具であって、前記第１の玩具体は、前記第２の玩具体が接続される接続部を有し、前記第２の玩具体は、複数種類用意されており、各々の第２の玩具体は、種類を識別するための識別情報を保持した識別情報保持部を有しており、前記第１の玩具体は、前記第２の玩具体の識別情報保持部が保持している識別情報が入力される識別情報入力部と、前記識別情報入力部で入力された識別情報を記憶可能な識別情報記憶部と、前記識別情報入力部とは異なる位置に設けられ、前記第２の玩具体が前記接続部に接続されたことを検出可能な接続検出部と、動作部と、前記動作部を動作させるための動作情報を、識別情報毎に対応させて記憶している動作情報記憶部と、動作制御部と、を有し、前記動作制御部は、前記識別情報入力部で入力された識別情報を前記識別情報記憶部に記憶させ、前記接続検出部にて前記第２の玩具体が前記接続部に接続されたことを検出したとき、前記識別情報記憶部に記憶されている識別情報を読み出し、当該読み出した識別情報に対応させて記憶された動作情報を前記動作情報記憶部から読み出し、当該読み出した動作情報に基づいて、前記動作部を動作させる、ことを特徴とする。

【手続補正３】
【補正対象書類名】明細書
【補正対象項目名】００１３
【補正方法】変更
【補正の内容】
【００１３】
また、本発明は、第１の玩具体と、前記第１の玩具体に接続され、複数種類用意された第２の玩具体と、各々の第２の玩具体の種類を識別するための識別情報を保持した複数の識別情報保持部材とからなる動作玩具であって、前記第１の玩具体は、前記第２の玩具体が接続される接続部を有し、前記第１の玩具体は、前記識別情報保持部材が保持している識別情報が入力される識別情報入力部と、  前記識別情報入力部で入力された識別情報を記憶可能な識別情報記憶部と、  前記識別情報入力部とは異なる位置に設けられ、前記第２の玩具体が前記接続部に接続されたことを検出可能な接続検出部と、動作部と、前記動作部を動作させるための動作情報を、識別情報毎に対応させて記憶している動作情報記憶部と、  動作制御部と、を有し、前記動作制御部は、前記識別情報入力部で入力された識別情報を前記識別情報記憶部に記憶させ、前記接続検出部にて前記第２の玩具体が前記接続部に接続されたことを検出したとき、前記識別情報記憶部に記憶されている識別情報のうち、所定の規則に基づいて１つの識別情報を読み出し、当該読み出した識別情報に対応させて記憶された動作情報を前記動作情報記憶部から読み出し、当該読み出した動作情報に基づいて、前記動作部を動作させる、ことを特徴とする。また、本発明は、第１の玩具体と、前記第１の玩具体に接続され、複数種類用意された第２の玩具体と、各々の第２の玩具体の種類を識別するための識別情報を保持した複数の識別情報保持部材とからなる動作玩具であって、前記第１の玩具体は、前記第２の玩具体が接続される接続部を有し、前記第１の玩具体は、前記識別情報保持部材が保持している識別情報が入力される識別情報入力部と、前記識別情報入力部で入力された識別情報を記憶可能な識別情報記憶部と、前記識別情報入力部とは異なる位置に設けられ、前記第２の玩具体が前記接続部に接続されたことを検出可能な接続検出部と、動作部と、前記動作部を動作させるための動作情報を、識別情報毎に対応させて記憶している動作情報記憶部と、動作制御部と、を有し、前記動作制御部は、前記識別情報入力部で入力された識別情報を前記識別情報記憶部に記憶させ、前記接続検出部にて前記第２の玩具体が前記接続部に接続されたことを検出したとき、前記識別情報記憶部に記憶されている識別情報を読み出し、当該読み出した識別情報に対応させて記憶された動作情報を前記動作情報記憶部から読み出し、当該読み出した動作情報に基づいて、前記動作部を動作させる、ことを特徴とする。